(57)【要約】  履物製品（１０）は、アッパー（１００）及びアッパーに取り付けられたソール構造（２００）を含む。履物製品はまた、ソール構造の底面（２０４）に隣接してソール構造内に配置されたケーブルロック（３０２）を含む。履物製品は、ケーブルロックからアッパーの第１のアンカーポイントに延びる第１のセクション（３０８）及びケーブルロックからアッパーの第２のアンカーポイントに延びる第２のセクションを有する第１のケーブル（３０４）を含む。履物製品は、さらに、ケーブルロックからグリップ（３８８）に延びる第１のセクション（３７４）及びケーブルロックからグリップに延びる第２のセクション（３７６）を有する第２のケーブル（３０６）を含み、それによって、ケーブルロックは、第２のケーブルの第１のセクション及び第２のセクションが延ばされるとき、第１のケーブルの第１のセクション及び第２のセクションを引き込むように動作可能である。
2022500181.tif 000002
【特許請求の範囲】
【請求項１】
履物製品であって：
内部空所を画定するアッパーと；
ソール構造であって、前記アッパーに取り付けられ、前記内部空所に面する上面及び前記上面とは前記ソール構造の反対側に形成された地面係合底面を有する、ソール構造と；
前記底面に隣接して前記ソール構造内に配置されたケーブルロックと；
前記ケーブルロックから前記アッパーの第１のアンカーポイントに延びる第１のセクション及び前記ケーブルロックから前記アッパーの第２のアンカーポイントに延びる第２のセクションを有する第１のケーブルと；
前記ケーブルロックからグリップに延びる第１のセクション及び前記ケーブルロックから前記グリップに延びる第２のセクションを有する第２のケーブルと；を有し、
前記ケーブルロックは、前記第２のケーブルの前記第１のセクション及び前記第２のセクションが延ばされるとき、前記第１のケーブルの前記第１のセクション及び前記第２のセクションを引き込むように動作可能である、
履物製品。
【請求項２】
前記ケーブルロックは、前記ソール構造の前記底面に配置されたビューイングポートを通して見るために露出される、
請求項１に記載の履物製品。
【請求項３】
前記ビューイングポートは、前記ソール構造のアウトソール部分及びミッドソール部分のうちの少なくとも１つを少なくとも部分的に通って延びる開口部を有する、
請求項２に記載の履物製品。
【請求項４】
前記ビューイングポートは、前記開口部を横切って延びる透明バリアを有するウインドウを含む、
請求項３に記載の履物製品。
【請求項５】
前記アッパーの内側側部の第１の端部から前記アッパーの外側側部の第２の端部に延びる第１のストラップをさらに有し、前記第１のストラップの前記第１の端部は、前記第１のケーブルの前記第１のセクションを受け、前記第１のストラップの前記第２の端部は、前記第１のケーブルの前記第２のセクションを受ける、
請求項１乃至４のいずれか１項に記載の履物製品。
【請求項６】
前記外側側部の前記履物のバイトラインにおける第１の端部から前記アッパーの前記内側側部の第２の端部に延びる第２のストラップをさらに有し、前記第２の端部は、ループを画定し、前記第１のケーブルの前記第１のセクションを受ける、
請求項５に記載の履物製品。
【請求項７】
前記ケーブルロックはスプールを含み、前記第１のケーブルは前記スプールの周りに第１の方向に巻かれ、前記第２のケーブルは前記スプールの周りに第２の方向に巻かれ、前記第２の方向は前記第１の方向と反対である、
請求項１乃至６のいずれか１項に記載の履物製品。
【請求項８】
前記第１のケーブルの前記第１のセクションは、前記アッパーの内側側部に沿って前記アッパーの前記内側側部の前記第１のアンカーポイントに延びる第１の複数のセグメントを含み、前記第１のケーブルの前記第２のセクションは、前記アッパーの外側側部と前記アッパーの前記内側側部との間で前記アッパーの前記内側側部の前記第２のアンカーポイントに延びる第２の複数のセグメントを含む、
請求項１乃至７のいずれか１項に記載の履物製品。
【請求項９】
前記第１のアンカーポイントは、前記アッパー及び前記ソール構造のバイトラインに隣接する中足部領域の前記アッパーの内側側部に配置され、前記第２のアンカーポイントは、前足部領域の前記アッパーの前記内側側部に配置されるフラップの遠位端部に配置される、
請求項１乃至８のいずれか１項に記載の履物製品。
【請求項１０】
前記フラップは、前記バイトラインに取り付けられた近位端部から前記アッパーの甲領域に隣接する前記遠位端部に延びる、
請求項９に記載の履物製品。
【請求項１１】
前記フラップは、前記第１のケーブルの前記第２のセクションを受けるためのループをさらに含み、前記ループは、前記第２のセクションの第１のセグメント及び第２のセグメントを受け、前記第２のアンカーポイントは、前記第２のセクションの第３のセグメントを受ける、
請求項９又は１０に記載の履物製品。
【請求項１２】
前記ケーブルロックの内部構成要素が前記ソール構造の前記底面を通して可視である、
請求項１乃至１１のいずれか１項に記載の履物製品。
【請求項１３】
履物製品であって：
内部空所を画定するアッパーと；
ソール構造であって、前記アッパーに取り付けられ、前記内部空所に面する上面及び前記上面とは前記ソール構造の反対側に形成された地面係合底面を有する、ソール構造と；
前記ソール構造内に配置されたケーブルロックと；
前記ケーブルロックから第１の方向に延びる第１のセクション及び前記ケーブルロックから第２の方向に延びる第２のセクションを有する第１のケーブルであって、前記第１のセクションは、少なくとも１つのストラップを通って前記アッパーの内側側部に沿ってルーティングされる第１の複数のセグメントを含み、前記第２のセクションは、前記少なくとも１つのストラップを通って前記アッパーの外側側部に沿ってルーティングされる第２の複数のセグメントを含む、第１のケーブルと；
第２のケーブルであって、前記ケーブルロックから延び、前記第２のケーブルに加えられる引張り力が、前記第２のケーブルを前記ケーブルロックから繰り出させるときに、前記第１のケーブルを引き込まれた状態に向かって移動させるように動作可能である、第２のケーブルと；を有する、
履物製品。
【請求項１４】
前記ケーブルロックは、前記ソール構造の前記底面を通して見えるように露出される、
請求項１３に記載の履物製品。
【請求項１５】
前記ケーブルロックは、前記ソール構造の前記底面を通して、前記ソール構造のアウトソール部分及び中間ソール部分のうちの少なくとも１つを少なくとも部分的に通って延びる開口部において、見えるように露出される、
請求項１４に記載の履物製品。
【請求項１６】
前記開口部を横切って延びる透明バリアを含むウインドウをさらに有する、
請求項１５に記載の履物製品。
【請求項１７】
前記少なくとも１つのストラップは、前記アッパーの内側側部に配置された第１の端部から、前記アッパーの外側側部に配置された第２の端部に延びる第１のストラップを含み、前記第１のストラップの前記第１の端部は、前記第１のケーブルの前記第１のセクションを受け、前記第１のストラップの前記第２の端部は、前記第１のケーブルの前記第２のセクションを受ける、
請求項１３乃至１６のいずれか１項に記載の履物製品。
【請求項１８】
前記少なくとも１つのストラップは、前記外側側部で前記履物の前記外側側部に取り付けられた第１の端部から、前記アッパーの前記内側側部の第２の端部に延びる第２のストラップを含み、前記第２の端部は、ループを画定し、前記第１のケーブルの前記第１のセクションを受ける、
請求項１７に記載の履物製品。
【請求項１９】
前記ケーブルロックはスプールを含み、前記第１のケーブルは前記スプールの周りに第１の方向に巻かれ、前記第２のケーブルは前記スプールの周りに第２の方向に巻かれ、前記第２の方向は前記第１の方向とは反対である、
請求項１３乃至１８のいずれか１項に記載の履物製品。
【請求項２０】
前記第１のケーブルの前記第１のセクションは、前記アッパーの前記内側側部の第１のアンカーポイントに延び、前記第１のケーブルの前記第２のセクションは、前記アッパーの前記内側側部の第２のアンカーポイントに延びる、
請求項１３乃至１９のいずれか１項に記載の履物製品。
【請求項２１】
前記第１のアンカーポイントは、前記アッパー及び前記ソール構造のバイトラインに隣接する中足部領域の前記アッパーの内側側部に配置され、前記第２のアンカーポイントは、前足部領域の前記アッパーの前記内側側部に配置されたフラップの遠位端部に配置される、
請求項２０に記載の履物製品。
【請求項２２】
前記フラップは、前記バイトラインにおいて取り付けられた近位端部から前記アッパーの甲領域に隣接する前記遠位端部に延びる、
請求項２１に記載の履物製品。
【請求項２３】
前記フラップは、前記第１のケーブルの前記第２のセクションを受けるためのループを含み、前記ループは、前記第２のセクションの第１のセグメント及び第２のセグメントを受け、前記第２のアンカーポイントは、前記第２のセクションの第３のセグメントを受ける、
請求項２１又は２２に記載の履物製品。
【請求項２４】
前記ケーブルロックの内部構成要素は、前記ソール構造の前記底面を通して可視である、
請求項１３乃至２３のいずれか１項に記載の履物製品。
【発明の詳細な説明】
【技術分野】
【０００１】
（関連出願の相互参照）
本出願は、2019年9月18日に出願された米国非仮特許出願第16/574,713号に対する優先権を主張し、この出願は、2018年9月19日に出願された米国仮特許出願第62/733,411号に対する米国特許法第119（e）条に基づく優先権を主張し、その開示は、その全体が参照により本明細書に組み込まれる。
【０００２】
本開示は、概して、締められた状態と緩んだ状態との間で履物を移動させるためのダイナミックレーシングシステム（dynamic  lacing  system）を有する履物製品に関する。
【背景技術】
【０００３】
このセクションは、必ずしも従来技術ではない、本開示に関する背景情報を提供する。
【０００４】
履物製品は、従来、アッパー及びソール構造を含む。アッパーは、ソール構造上の足を受け入れ、固定し、支持するために、任意の適切な材料（複数可）から形成することができる。足の底面に近接したアッパーの底部は、ソール構造に付着する。ソール構造は、一般に、地面とのトラクション及び耐摩耗性を提供するアウトソールと、足のためのクッションを提供するためにアウトソールとアッパーとの間に配置されるミッドソールとの間に延びる層状構成を含む。
【０００５】
アッパーは、レース（laces）、ストラップ、又は他のファスナ（fasteners）と協働して、足のまわりのアッパーのフィット（fit）を調整することができる。例えば、レースを足の周りのアッパーを閉じるために締め、足の周りのアッパーの所望のフィットが得られたら、結ぶことができる。レースを結ぶたびに、足の周りのアッパーが緩すぎたりきつすぎたりしないことを確実にする注意が必要である。さらに、履物の着用中にレースが緩む又はほどけることがある。フック及びループファスナなどのファスナは、従来のレースよりも操作が容易であり、かつ、より迅速であるが、これらのファスナは、経時的に摩耗する傾向があり、アッパーを足に固定する際に所望の張力を得るためにより多くの注意を必要とする。
【０００６】
既知の自動締め付けシステムは、典型的には、回転可能なノブなどの締め付け機構を含み、これは、足の周りのアッパーを閉じるためにアッパーと相互作用する１つ又は複数のケーブルに張力を加えるように操作することができる。これらの自動締め付けシステムは、足の周りのアッパーの所望のフィットを達成するために１つ又は複数のケーブルの張力の大きさを漸増させることができるが、足の周りにアッパーを固定するためにケーブルを適切に締め付けるために締め付け機構を操作する時間のかかる作業を必要とし、履物を足から外すことが所望される場合には、着用者は、ケーブルの張力を解放するために、解放機構を押すと同時に、足からアッパーを引き離す必要がある。さらに、これらの自動締め付けシステムは、１つ又は複数のケーブルの長さに沿って一定の張力を提供し、それにより、回転可能なノブを回転は、ケーブル全体を一様に締め付ける。アッパーの第１の領域をアッパーの第２の領域とは異なる割合（rate）で締め付けることが望ましい場合には、追加のケーブル及び締め付け機構を別々に組み込み、制御しなければならない。
【０００７】
従って、既知の自動締め付けシステムは、足の周りにアッパーを閉じるためにケーブルの張力を迅速かつ可変的に調節し、また、足から履物を外すためにアッパーを迅速に緩めることができるように、ケーブルに加えられた張力を迅速に解放するための適切な設備を欠いている。さらに、これらの既知の自動締め付けシステムによって使用される締め付け機構は、締め付け機構が足の周りのアッパーのフィットを調整するために装着者にアクセス可能であり、それによって履物の一般的な外観及び美観を損なうように、アッパーの外側に組み込まれる必要がある。
【図面の簡単な説明】
【０００８】
明細書に記載される図面は、選択された構成のみを例示するためのものであり、本開示の範囲を限定することを意図するものではない。
【０００９】
【図１】本開示の原理によるケーブルの移動を制限するロック状態とケーブルの移動を可能にするロック解除状態との間で移動可能なケーブルロックを有する履物製品の内側側部の立面図である。
【図２】図１の履物製品の外側側部の立面図である。
【図３Ａ】図１の履物製品の断片的な上面斜視図であり、履物のシュラウドは、履物の内部構成要素を示すために隠されている。
【図３Ｂ】図１の履物製品の部分的な平面斜視図であり、シュラウドが示され、履物の内部構成要素が隠されている。
【図４】図１の履物製品の底面図であり、履物のソール構造を通ってさらされたケーブルロックを示す。
【図５】本開示の原理によるケーブルロックの分解図である。
【図６】図５のケーブルロックの斜視図である。
【図７】図５のケーブルロックの上面図であり、ケーブルロックの内部構成要素は、ケーブルロックのハウジングの構造を示すために隠されている。
【図８】図６のケーブルロックの拡大部分図であり、ロック位置のケーブルロックを示す。
【図９】図６のケーブルロックの拡大部分図であり、ロック解除位置のケーブルロックを示す。
【００１０】
対応する参照番号は、図面全体を通して対応する部分を示す。
【発明を実施するための形態】
【００１１】
以下、添付の図面を参照して、例示的な構成をより詳細に説明する。例示的な構成は、本開示が詳細であり、当業者に本開示の範囲を完全に伝えるように提供される。本開示の構成の完全な理解を提供するために、特定の構成要素、装置、及び方法の例のような特定の詳細が記載されている。当業者には明らかであろうが、特定の詳細を使用する必要はなく、例示的な構成は多くの異なる形態で実施することができ、特定の詳細及び例示的な構成は、本開示の範囲を限定するものと解釈されるべきではない。
【００１２】
本明細書で使用される用語は、特定の例示的な構成のみを説明するためのものであり、限定することを意図したものではない。本明細書で使用されるとき、単数冠詞「１つの（“a”、“an”）及び「その（“the”）」は、文脈が他のことを明確に示していない限り、複数形も含むことが意図され得る。「有する」、「有する」、「含む」及び「有する」という用語は、包括的であり、特徴、ステップ、動作、要素及び／又は構成要素の存在を特定するが、１つ又は複数の他の特徴、ステップ、動作、要素、構成要素、及び／又はこれらのグループの存在又は追加を排除しない。本明細書に記載される方法ステップ、プロセス、及び動作は、特に実行の順序として具体的に識別されない限り、必ずしも、説明又は図示される特定の順序でのそれらの実行を必要とすると解釈されるべきではない。追加のステップ又は代替のステップが用いられ得る。
【００１３】
ある要素又は層が、別の要素又は層「の上にある」、「に係合される」、「に接続される」、「に取り付けられる」、又は「に結合される」と称される場合、それは、他の要素又は層に直接上にあり得る、係合され得る、接続され得る、取り付けられ得る、若しくは結合され得る、又は介在する要素若しくは層が存在し得る。対照的に、ある要素が「直接上にある」、「直接係合される」、「直接接続される」、「直接取り付けられる」、又は「直接結合される」と称される場合、介在する要素又は層は存在していなくてもよい。要素間の関係を記載する他の用語は、同様の方法で（例えば、「間に」対「直接間に」、「隣接して」対「直接隣接して」など）で解釈されるべきである。本明細書で使用される場合、用語「及び／又は」は、関連するリストされたアイテムのうちの１つ又は複数のすべての組み合わせを含む。
【００１４】
第１、第２、第３等という用語は、種々の要素、構成要素、領域、層、及び／又はセクションを記述するために本明細書中で使用され得る。これらの要素、構成要素、領域、層及び／又はセクションは、これらの用語によって限定されない。これらの用語は、１つの要素、構成要素、領域、層又はセクションを別の領域、層又はセクションから区別するためにのみ使用され得る。「第１」、「第２」及び他の数値用語などの用語は、文脈によって明確に示されない限り、シーケンス又は順序を意味しない。従って、以下に説明する第１の要素、構成要素、領域、層又はセクションは、例示的な構成の教示から逸脱することなく、第２の要素、構成要素、領域、層又はセクションと呼ぶことができる。
【００１５】
本開示の一態様は、履物製品を提供する。履物製品は、内部空所（interior  void）を画定するアッパーと、ソール構造であって、アッパーに取り付けられ、内部空所に対向する上面及び上面からソール構造の反対側に形成された地面係合底面を有する、ソール構造とを含む。履物製品はまた、底面に隣接してソール構造内に配置されたケーブルロックを含む。履物製品は、さらに、ケーブルロックからアッパーの第１のアンカーポイントに延びる第１のセクション及びケーブルロックからアッパーの第２のアンカーポイントに延びる第２のセクションを有する第１のケーブルを含む。履物製品はまた、ケーブルロックからグリップに延びる第１のセクション及びケーブルロックからグリップに延びる第２のセクションを有する第２のケーブルを含み、ケーブルロックは、第２のケーブルの第１のセクション及び第２のセクションが延びるとき、第１のケーブルの第１のセクション及び第２のセクションを引き込む（retract）ように作動可能である。
【００１６】
本開示の実装形態は、以下のオプションの特徴の１つ又は複数を含み得る。いくつかの実装形態では、ケーブルロックは、ソール構造の底面に配置されたビューイングポート（viewing  port）を通して見るために露出される（exposed）。ビューイングポートは、ソール構造のアウトソール部分及びミッドソール部分のうちの少なくとも１つを少なくとも部分的に通って延びる開口部を含む。ここで、ビューイングポートはまた、開口部を横切って延びる透明バリアを有するウインドウを含む。いくつかの例では、ケーブルロックの内部構成要素は、ソール構造の底面を通して可視である。
【００１７】
幾つかの構成では、履物製品は、アッパーの内側側部（medial  side）の第１の端部からアッパーの外側側部（lateral  side）の第２の端部に延びる第１のストラップを含み、第１のストラップの第１の端部は、第１のケーブルの第１のセクションを受け、第１のストラップの第２の端部は、第１のケーブルの第２のセクションを受け得る。ここで、履物製品はまた、外側側部の履物のバイトライン（bite  line）における第１の端部からアッパーの内側側部の第２の端部に延びる第２のストラップを含み、第２の端部は、ループを画定し、第１のケーブルの第１のセクションを受ける。
【００１８】
いくつかの例では、ケーブルロックはスプールを含み、第１のケーブルはスプールの周りに第１の方向に巻かれ、第２のケーブルはスプールの周りに第２の方向に巻かれ、第２の方向は第１の方向とは反対である。第１のケーブルの第１のセクションは、アッパーの内側側部に沿ってアッパーの内側側部の第１のアンカーポイントに延びる第１の複数のセグメントを含み得、第１のケーブルの第２のセクションは、アッパーの外側側部とアッパーの内側側部との間でアッパーの内側側部の第２のアンカーポイントに延びる第２の複数のセグメントを含み得る。
【００１９】
いくつかの実装形態では、第１のアンカーポイントは、アッパー及びソール構造のバイトラインに隣接する中足部領域（midfoot  region）のアッパーの内側側部に配置され、第２のアンカーポイントは、前足部領域（forefoot  region）のアッパーの内側側部に配置されたフラップの遠位端部に配置される。フラップは、バイトラインに取り付けられた近位端部から、アッパーの甲領域（instep  region）に隣接する遠位端部に延び得る。フラップは、第１のケーブルの第２のセクションを受けるためのループを含み得、ループは、第２のセクションの第１のセグメント及び第２のセグメントを受け、第２のアンカーポイントは、第２のセクションの第３のセグメントを受ける。
【００２０】
本開示の別の態様は、履物製品を提供する。履物製品は、内部空所を画定するアッパーと、ソール構造であって、アッパーに取り付けられ、内部空所に対向する上面及び上面とはソール構造の反対側に形成された地面係合底面を有する、ソール構造を含む。履物製品はまた、ソール構造内に配置されたケーブルロックと、ケーブルロックから第１の方向に延びる第１のセクションと、ケーブルロックから第２の方向に延びる第２のセクションとを有する第１のケーブルとを含み、第１のセクションは、少なくとも１つのストラップを通ってアッパーの内側側部に沿ってルーティングされた（routed）第１の複数のセグメントを含み、第２のセクションは、少なくとも１つのストラップを通ってアッパーの外側側部に沿ってルーティングされた第２の複数のセグメントを含む。履物製品は、さらに、ケーブルロックから延び、第２のケーブルに加えられる引張力が、第２のケーブルをケーブルロックから繰り出させるときに、第１のケーブルを引き込まれた状態に向かって移動させるように動作可能である、第２のケーブルを含む。
【００２１】
本開示の実装形態は、以下のオプションの特徴の１つ又は複数を含み得る。いくつかの構成では、ケーブルロックは、ソール構造の底面を通して見えるように露出される。ビューイングポートは、ソール構造のアウトソール部分とミッドソール部分のうちの少なくとも１つを少なくとも部分的に通って延びる開口部を含み得る。また、ビューイングポートは、開口部を横切って延びる透明バリアを含むウインドウを含み得る。ケーブルロックの内部構成要素は、ソール構造の底面を通して可視であり得る。
【００２２】
いくつかの例では、少なくとも１つのストラップは、アッパーの内側側部に配置された第１の端部からアッパーの外側側部に配置された第２の端部に延びる第１のストラップを含み、第１のストラップの第１の端部は第１のケーブルの第１のセクションを受け、第１のストラップの第２の端部は第１のケーブルの第２のセクションを受ける。ここで、少なくとも１つのストラップは、外側側部で履物の外側側部に取り付けられた第１の端部から、アッパーの内側側部の第２の端部に延びる第２のストラップを含み、第２の端部は、ループを画定し、第１のケーブルの第１のセクションを受ける。他の例では、ケーブルロックはスプールを含み、第１のケーブルはスプールの周りに第１の方向に巻かれ、第２のケーブルはスプールの周りに第２の方向に巻かれ、第２の方向は第１の方向とは反対である。
【００２３】
幾つかの実装形態では、第１のケーブルの第１のセクションは、アッパーの内側側部の第１のアンカーポイントに延び、第１のケーブルの第２のセクションは、アッパーの内側側部の第２のアンカーポイントに延びる。第１のアンカーポイントは、アッパー及びソール構造のバイトラインに隣接する中足部領域のアッパーの内側側部に配置され得、第２のアンカーポイントは、前足部領域内のアッパーの内側側部に配置されるフラップの遠位端部に配置され得る。フラップは、バイトラインにおいて取り付けられた近位端部から、アッパーの甲領域に隣接する遠位端部に延び得る。フラップは、第１のケーブルの第２のセクションを受けるためのループを含み得、ループは、第２のセクションの第１のセグメント及び第２のセグメントを受け、第２のアンカーポイントは、第２のセクションの第３のセグメントを受ける。
【００２４】
添付の図面及び以下の説明において、本開示の１つ又は複数の実装形態の詳細を述べる。他の態様、特徴、及び利点は、明細書及び図面、ならびに特許請求の範囲から明らかであろう。
【００２５】
図１を参照すると、可変張力を提供するシステムを含む履物製品１０の一例が開示されている。いくつかの実装形態では、履物製品１０は、アッパー１００と、アッパー１００に取り付けられたソール構造２００とを含む。履物製品１０は、さらに、アッパー１００及びソール構造２００の少なくとも１つに一体化されるテンションシステム（tensioning  system）３００を含む。テンションシステム３００は、ケーブルロック３０２と、ケーブルロック３０２と協働して、履物製品１０を、以下に詳述するように、締められた状態と緩んだ状態との間で移動させる一対のケーブル３０４、３０６とを含む。特に、ケーブル３０４、３０６は、履物製品１０を締め付けられた状態に移動させるために締め付け方向ＤＴに移動可能である。いくつかの実装形態では、アッパー１００及びソール構造２００は、ケーブルロック３０２を通ってケーブル３０４、３０６の一部をルーティングするための通路及びガイドを提供するように協働する。ケーブルロック３０２は、ケーブル３０４、３０６を締め付け状態に選択的に固定するように構成される。
【００２６】
履物製品１０は、１つ又は複数の領域に分割され得る。領域は、前足部領域１２、中足部領域１４、及び踵領域１６を含み得る。前足部領域１２は、中足骨を足の指骨と接続する関節及びつま先（toes）に対応し得る。前足部領域１２は、指節骨に対応するつま先部分１２Ｔと、足の中足骨に関連するボール（ball）部分１２Ｂとに分割され得る。中足部領域１４は、足のアーチ領域に対応し、踵領域１６は、踵骨を含む足の後部領域に対応する。履物１０は、さらに、前足部領域１２の最前点（forward-most  point）に関連する前端部（anterior  end）１８と、踵領域１６の最後点（rearward-most  point）に対応する後端部（posterior  end）２０とを含み得る。図４に示すように、履物１０の長手方向軸ＡＦは、履物１０の長さに沿って前端部１８から後端部２０に延び、概して履物１０を外側側部２４と内側側部２２とに分割する。従って、外側側部２４及び内側側部２２は、それぞれ履物１０の両側面に対応し、領域１２、１４、１６を通って延びる。
【００２７】
アッパー１００は、ソール構造２００上での支持のために足を受け入れて固定するように構成される内部空所１０２を画定する内部表面を含む。踵領域１６の足首開口部１０４は、内部空所１０２へのアクセスを提供し得る。例えば、足首開口部１０４は、足を空所１０２内に固定し、足の内部空所１０２への進入及び内部空所１０２から外すことを容易にするように足を受け入れ得る。アッパー１００は、外側側部２４と内側側部２２との間に延び、内部空所１０２を覆う舌部１０６を含み得る。アッパー１００は、履物１０を足の上に引っ張ったり外したりするための足首開口部１０４に隣接して形成された１つ又は複数のグリップ特徴部（grip  features）１０８を含む。アッパーはさらに、内側側部２２から外側側部２４にアッパー１００の後端部２０の周囲に延びるヒール（踵）カウンタ１１０を含む。
【００２８】
アッパー１００は、内部空所１０２を画定するために一緒に縫われた又は接着された１つ又は複数の材料から形成され得る。アッパー１００の適切な材料には、織物、フォーム、皮革、及び合成皮革が含まれるが、これらに限定されない。例示的なアッパー１００は、アッパー１００の異なる領域に配置された１つ又は複数の実質的に非弾性又は非伸縮性の材料と１つ又は複数の実質的に弾性又は伸縮性の材料との組み合わせから形成して、締め付け状態と緩められた状態との間のアッパー１００の移動を容易にし得る。１つ又は複数の弾性材料は、限定されるものではないが、スパンデックス、エラスタン、ゴム又はネオプレンなどの１つ又は複数の弾性織物の任意の組み合わせを含み得る。１つ又は複数の非弾性材料は、熱可塑性ポリウレタン、ナイロン、皮革、ビニール、又は弾性特性を付与しない他の材料／布のうちの１つ又は複数の組み合わせを含み得る。図３Ａ及び図３Ｂに最も良く示されているように、アッパーは、テンションシステム３００の種々の構成要素を隠すための１つ又は複数のシュラウド１１２及び／又はカバー１１４を備え得る。例えば、図３Ａでは、アッパー１００は、シュラウド１１２およびカバー１１４なしで示され、それによってテンションシステム３００のストラップの少なくとも１つが露出する。対照的に、図３Ｂは、アッパー１００の前足部領域１２を覆うメッシュシュラウド１１２を示し、一方、アッパー１００の舌部１０６はカバー１１４を備え得る。いくつかの例では、カバー１１４は、テンションシステム３００を露出させるためにユーザによって取り外し可能であり得る。
【００２９】
上述のように、ソール構造２００は、アッパー１００に取り付けられ、履物１０の地面係合面２６を画定する。ソール構造２００は、上面２０２と、ソール構造２００の上面２０２とは反対側に形成された底面２０４とを含む。ソール構造２００の底面２０４は、履物の地面係合面２６を画定し得る。ソール構造２００は、さらに、上面２０２と底面２０４との間に延びる周辺側面２０６をさらに含み、周辺側面２０６は、ソール構造２００の外周を画定する。ソール構造２００は、履物１０の前端部１８の第１の端部２０８から履物１０の後端部２０の第２の端部２１０に連続的に延びる。出願及び添付の特許請求の範囲全体を通して言及されるように、ソール構造２００及びアッパー１００は、履物１０が組み立てられるときに、周辺側面２０６とアッパー１００とが交差する「バイトライン」２８を画定する。バイトライン２８は、履物１０に沿って、第１の端部２０８から第２の端部２１０に、外側側部及び内側側部の一方又は両方で全体的に延びることができ、また、第１の端部２０８、第２の端部２１０、又はその両方の周囲に延びることができる。
【００３０】
以下にさらに詳細に説明するように、ソール構造２００は、テンションシステム３００の一部をその中に受け入れるように構成され、その中に形成された１つ又は複数のキャビティ又は導管を含み得る。図示の例では、ソール構造２００は、底面２０４に形成された開口部又はキャビティ２１２を含む。キャビティ２１２は、ケーブルロック３０２をソール構造２００内に受け入れるように構成される。いくつかの例では、ケーブルロック３０２は、ソール構造２００内に封入され（encapsulated）得る。図４の例に示すように、キャビティ２１２は、ケーブルロック３０２の一部が、ソール構造２００の底面２０４を通して露出又は可視化されるように、ケーブルロック３０２を受け入れるように構成され得る。例えば、ケーブルロック３０２は、ケーブルロック３０２と底面２０４との間に形成されたキャビティ２１２の一部が、それを通してケーブルロックが露出されるビューポートを画定するように、ソール構造２００の底面２０４から埋め込まれ（recessed）得る。ここで、キャビティ２１２又はケーブルロック３０２は、ケーブルロック３０２の内部にウインドウ２１４を提供する透明バリア２１４を含み得る。従って、ケーブルロック３０２の動作をユーザが観察できるように、ケーブルロック３０２の内部構成要素は、バリア２１４を通して可視化され得る。
【００３１】
上述したように、テンションシステム３００は、概して、第１のケーブル３０４と第２のケーブル３０６を含み、これらは、ケーブルロック３０２を介して互いに協働し、アッパー１００を、締められた状態と緩んだ状態との間で選択的に移行させる。図示のように、第１のケーブル３０４は、複数のガイド及びストラップを通ってアッパー１００に沿ってルーティングされ、それによって、ユーザによって第２のケーブル３０６に加えられた締め付け力ＦＴが、ケーブルロック３０２を通って第１のケーブル３０４に伝達され、第１のケーブル３０４によってアッパー１００に沿って分配され、足に沿ってアッパー１００を締め付ける。図示のように、第１のケーブル３０４は、ケーブルロック３０２を通して互いに接続された第１のセクション３０８及び第２のセクション３１０を含むものとして説明され得る。第１のセクション３０８は、ケーブルロック３０２から中足部領域１４のアッパー１００に固定された終端部３１２に延びる。同様に、第２のセクション３１０は、ケーブルロック３０２から、前足部領域１２のアッパー１００に固定された終端部３１４に延びる。以下に説明するように、第１のケーブル３０４の第１のセクション３０８は、ケーブルロック３０２と第１のセクション３０８の終端部３１２との間のアッパー１００に沿ってルーティングされた第１の複数のセグメント３１６ａ〜３１６ｅを含むものとして説明され得る。同様に、第２のセクション３１０は、ケーブルロック３０２と第２のセクション３１０の終端部３１４との間のアッパー１００に沿ってルーティングされた第２の複数のセグメント３１８ａ〜３１８ｆを含むものとして説明され得る。
【００３２】
上述のように、テンションシステム３００は、複数のガイド、ループ、及びストラップを含み、これらを通して、第１のケーブル３０４の第１のセクション３０８及び第２のセクション３１０が、第１のケーブル３０４の張力をアッパー１００に沿った締め付け力に変換するようにルーティングされる。第１のストラップ３２０は、アッパー１００の内側側部２２の第１の端部３２２からアッパー１００の外側側部２４の第２の端部３２４に、足首開口部１０４に隣接して舌部１０６を横切って延びる。より詳細には、第１のストラップ３２０の第１の端部３２２は、舌部１０６に隣接してアッパー１００の内側側部２２上に、中足部領域１４と踵領域１６との間に位置する。同様に、第１のストラップ３２０の第２の端部３２４は、舌部１０６に隣接して、アッパー１００の外側側部２４上に、中足部領域１４と踵領域１６との間に位置する。第１のストラップ３２０の第１の端部３２２は、内側側部２２上で第１のケーブル３０４の第１のセクション３０８の一部を受け入れる第１のループ３２６を画定し、第１のストラップ３２０の第２の端部３２４は、外側側部２４上で第１のケーブル３０４の第２のセクション３１０の一部を受け入れる第２のループ３２８を画定する。以下に説明するように、第１のケーブル３０４が締め付けられると、第１のストラップ３２０のループ３２６、３２８は、舌部１０６を越えて第１のストラップ３２０を締め付けるように、ソール構造２００に向かって引かれる。
【００３３】
第１のケーブル３０４の第１及び第２のセクション３０８、３１０を、ループ３２６、３２８を通ってルーティングすることの他に、第１のストラップ３２０は、アッパー１００から完全に分離される。このように、第１のストラップ３２０は、第１のケーブル３０４の第１及び第２のセクション３０８、３１０によってアッパー１００の上にしっかりと引かれて、アッパー１００を締めることができる。アッパー１００は、アッパー１００を横切る第１のストラップ３２０の向き及び位置を維持するための１つ又は複数のガイド３３０を含み得る。図示の例では、アッパー１００は一対のガイド３３０を含み、ガイド３３０の一方は第１のストラップ３２０の第１の端部３２２に配置され、ガイド３３０の第２のものは第１のストラップの第２の端部３２４に配置される。従って、ガイド３３０は、第１のストラップ３２０の端部３２２、３２４を受け入れる。一例では、ガイド３３０は、各々、布ストラップの対向端部（opposing  ends）をアッパー１００に縫い付けることによって形成されて、ストラップとアッパー１００との間に通路３３２を形成する。しかしながら、他の例では、ガイド３３０は、硬質材料で形成され得る、及び／又は通路３３２を完全に画定し得る。
【００３４】
テンションシステム３００は、少なくとも１つの近位端部３３６から遠位端部３３８に延びる第２のストラップ３３４をさらに含む。図３Ａに最も良く示されているように、第２のストラップ３３４は、前足部領域１２の外側側部２４上のバイトライン２８に取り付けられた第１の近位端部３３６ａから、中足部領域１４の内側側部２２上の舌部１０６に隣接したフリーハンギング（自由に吊るす）（free-hanging）遠位端部３３８に延び、踵領域１６の外側側部２４上のバイトライン２８に取り付けられた第２の近位端部３３６ｂに戻る。従って、第２のストラップ３３４は、遠位端部３３８でループ３４０を形成するように、第１の近位端部３３６ａから第２の近位端部３３６ｂへ遠位端部３３８で向きを変えられる（turned）。以下にさらに詳細に説明するように、第１のケーブル３０４の第１のセクション３０８の一部は、第１のケーブル３０４の第１のセクション３０８が締め付け方向ＤＴに引かれるとき、第２のストラップ３３４のループ３４０が引っ張られて内側側部２２を下げてアッパー１００の周囲を締め付けるように、第２のストラップ３３４のループ３４０を通ってルーティングされる。
【００３５】
図１を参照すると、テンションシステム３００は、バイトライン２８に取り付けられた近位端部３４４と、内側側部２２アッパー１００の舌部１０６に隣接したフリーハンギング遠位端部３４６とを有する内側フラップ３４２を含む。図示のように、内側フラップ３４２の近位端部３４４は、バイトライン２８に沿って、つま先部分１２Ｔから中足部領域１４に延びる。内側フラップ３４２の幅ＷＭＦは、近位端部３４４から遠位端部３４６にテーパ状になり、それによって、遠位端部３４６における内側フラップ３４２の幅ＷＭＦは、近位端部３４４における内側フラップ３４２の幅ＷＭＦよりも小さい。
【００３６】
内側フラップ３４２の遠位端部３４６は、ギャップ３５６によって互いに分離された一対のタブ３５２、３５４を含み得る。具体的には、遠位端部３４６は、内側フラップ３４２の前面縁部（anterior-facing  edge）に隣接して配置された前方タブ３５２と、内側フラップ３４２の後面縁部に隣接して配置された後方タブ３５４とを含む。タブ３５２、３５４は互いに対して独立して移動可能である。図示のように、後方タブ３５４は、第１のケーブル３０４の第１のセクション３０８の一部を受け入れるように構成されるケーブルガイド３５８を含み、一方、第１のケーブル３０４の第１のセクション３０８の終端部３１２は、第１のアンカー３６０において前方タブ３５２に固定される。
【００３７】
図２を参照すると、履物１０の外側側部２４は、バイトライン２８に取り付けられた近位端部３６４と、前足部領域１２のボール部分１２Ｂ内の舌部１０６に隣接したフリーハンギング遠位端部３６６とを有する外側フラップ３６２を含む。内側フラップ３４２と同様に、外側フラップ３６２の幅ＷＬＦは、近位端部３６４から遠位端部３６６にテーパ状になっている。外側フラップ３６２は、遠位端部３６６に近接して配置されたケーブルガイド３６８を含む。後述するように、第１のケーブル３０４の第２のセクション３１０は、外側フラップ３６２のケーブルガイド３６８を通ってルーティングされる。従って、遠位端部３６６は、アッパー１００から独立しているので、第１のケーブル３０４が締め付け方向ＤＴに移動されるときに、遠位端部３６６は、アッパー１００に沿って内側側部２２に向かって引っ張られることができる。
【００３８】
第１のケーブル３０４の第１及び第２のセクション３０８、３１０のルーティングに関して以下により詳しく述べるように、テンションシステム３００は、前述のストラップ３２０、３３４とフラップ３４２、３６２との間で第１のケーブル３０４をルーティングするために、アッパー１００に沿った位置に配置される複数のケーブルガイド３７０を含む。図示された例では、ケーブルガイド３７０は、それらを通って第１のケーブル３０４を摺動可能に受け入れるための通路を画定する織物又はメッシュループによって形成される。いくつかの例では、ケーブルガイド３７０の内面は、内部の第１のケーブル３０４の移動を容易にする潤滑性ポリマー（例えば、ポリテトラフルオロエチレン）などの低摩擦材料でライニング又はコーティングされる。
【００３９】
さらに、テンションシステム３００は、図４に最も良く示すように、ケーブルロック３０２とアッパー１００との間の第１のケーブル３０４及び第２のケーブル３０６の端部をルーティングするために、ソール構造２００を通って形成された１つ又は複数の導管３７２を含み得る。
【００４０】
図１を参照すると、第１のケーブル３０４の第１のセクション３０８は、概して、アッパー１００の内側側部２２に沿ってルーティングされる。より詳細には、第１のケーブル３０４の第１のセクション３０８は、ソール構造２００のケーブルロック３０２から、内側側部２２のバイトライン２８を通って延び、一連のケーブルガイド３７０を介して、第１のストラップ３２０の第１のループ３２６及び第２のストラップ３３４のループ３４０のそれぞれを通ってルーティングされる。第１のケーブル３０４の第１のセクション３０８は、中足部領域１４のバイトライン２８に隣接して、アッパー１００の内側側部２２に固定されている終端部３１２で終端する。
【００４１】
上述のように、第１のケーブル３０４の第１のセクション３０８は、複数のセグメント３１６を含むものとして説明され得る。図１に最も良く示されているように、第１のセクション３０８の第１のセグメント３１６ａは、中足部領域１４のバイトライン２８の第１の端部から、バイトライン２８から離間した、踵領域１６の第２の端までルーティングされる。図示のように、第１のセグメント３１６ａの第２の端部は、第１のケーブル３０４の第１のセクション３０８がケーブルガイド３７０ａの第１のものを通過するところに定められる。第１のケーブル３０４の第２のセグメント３１６ｂは、ケーブルガイドの第１のケーブルガイド３７０ａから第１のストラップ３２０の第１のループ３２６に延び、第１のセクション３０８は第１のループ３２６を通って第３のセグメント３１６ｃにルーティングされる。次いで、第３のセグメント３１６ｃは、第１のストラップ３２０の第１のループ３２６から、第１のセグメント３１６ａの上且つケーブルガイドの第１のケーブルガイド３７０ａの前方でアッパー１００に取り付けられるケーブルガイドの第２のケーブルガイド３７０ｂに延びる。次に、第１のセクション３０８は、ケーブルガイドの第２のケーブルガイド３７０ｂを通って第４のセグメント３１６ｄにルーティングされ、第４のセグメント３１６ｄは、アッパーを上に第２のケーブルガイド３７０ｂから、中足部領域１４の舌部１０６に隣接する、第２のストラップ３３４のループ３４０に延びる。次いで、第１のセクション３０８は、第２のストラップ３３４のループ３４０を通って、ループ３４０からバイトライン２８に隣接する第１のセクション３０８の終端部３１２に延びる第５のセグメント３１６ｅにルーティングされる。
【００４２】
図示のように、第１のケーブルガイド３７０ａ、第２のケーブルガイド３７０ｂ、及び終端部３１２のそれぞれは、ヒールカウンタ１１０のエッジに隣接してアッパー１００に固定され得る。以下に詳細に記載されるように、ケーブルガイド３７０ａ、３７０ｂ及び終端部３１２はアッパー１００に固定されているので、第１のセクション３０８のセグメント３１６ａ〜３１６ｅは、第１のケーブル３０４が締め付け方向ＤＴに移動されるときに、第１のストラップ３２０の第１のループ３２６及び第２のストラップ３３４のループ３４０をヒールカウンタ１１０に向けて下方に引く。
【００４３】
図２を参照すると、第１のケーブル３０４の第２のセクション３１０は、概して、外側側部２４及びアッパー１００の舌部１０６の下部領域に沿ってルーティングされる。より詳細には、第１のケーブル３０４の第２のセクション３１０は、ソール構造２００のケーブルロック３０２から、外側側部のバイトライン２８を通って上に延び、一連のケーブルガイド３７０を介して、第１のストラップ３２０の第２のループ３２８、中央フラップ３４２のケーブルガイド３５８、及び外側フラップ３６２のケーブルガイド３６８の各々を通ってルーティングされる。第１のケーブル３０４の第２のセクション３１０は、内側フラップ３４２の遠位端部３４６で前方タブ３５２に固定されている終端部３１４で終端する。
【００４４】
上述のように、第１のケーブル３０４の第２のセクション３１０は、複数のセグメント３１８を有するものとして説明され得る。図２に最も良く示されているように、第２のセクション３１０の第１のセグメント３１８ａは、中足部領域１４のバイトライン２８の第１の端部から、バイトライン２８から離間した、踵領域１６の第２の端部までルーティングされる。図示のように、第１のセグメント３１８ａの第２の端部は、第１のケーブル３０４の第２のセクション３１０がケーブルガイドの第３のケーブルガイド３７０ｃを通過するところに定められる。第２のセクション３１０の第２のセグメント３１８ｂは、ケーブルガイドの第３のケーブルガイド３７０ｃから第１のストラップ３２０の第２のループ３２８に延び、第２のセクション３１０は第２のループ３２８を通って第３のセグメント３１８ｃまでルーティングされる。次いで、第３のセグメント３１８ｃは、第１のストラップ３２０の第２のループ３２８から、第１のセグメント３１８ａの上且つケーブルガイドの第３のケーブルガイド３７０ｃの前方でアッパー１００に取り付けられるケーブルガイドの第４のケーブルガイド３７０ｄに延びる。次いで、第２のセクション３１０は、ケーブルガイドの第４のケーブルガイド３７０ｄを通って、第４のセグメント３１８ｄにルーティングされ、第４のセグメント３１８ｄは、外側側部２４の第４のケーブルガイド３７０ｄから、舌部１０６を横切って、内側フラップ３４２の後方タブ３５４のケーブルガイド３５８に延びる。次いで、第２のセクション３１０は、後方タブ３５４のケーブルガイド３５８を通って第５のセグメント３１８ｅにルーティングされ、第５のセグメント３１８ｅは、後方タブ３５４のケーブルガイド３５８から、舌部１０６を横切って外側フラップ３６２のケーブルガイド３６８に延びる。第２のセクション３１０は、外側フラップ３６２のケーブルガイド３６８を通って第６のセグメント３１８ｆまでルーティングされ、第６のセグメント３１８ｆは、ケーブルガイド３６８から、アッパー１００のバンプを横切って終端部３１４に延びる。第４のセグメント３１８d、第５のセグメント３１８e、及び第６のセグメント３１８fのルーティングは、図３Ａに明確に見ることができる。図示のように、第２のセクション３１０の終端部３１４は、アンカーポイント３６０によって前方タブ３５２に固定される。
【００４５】
図示のように、第３のケーブルガイド３７０ｃ及び第４のケーブルガイド３７０ｄの各々は、ヒールカウンタ１１０のエッジに隣接してアッパー１００に固定され得る。ケーブルガイド３７０ｃ、３７０ｄは、アッパー１００に固定されるので、第２のセクション３１０の第２及び第３のセグメント３１８ｃ、３１８ｄは、以下により詳細に説明するように、第１のケーブル３０４が締め付け方向ＤＴに移動されるときに、第２のループ３２８をヒールカウンタ１１０に向かって下方に引く。同時に、第１のケーブルが締め付け方向に移動されると、第４のセグメント３１８d、第５のセグメント３１８ｅ、及び第６のセグメント３１８fは、アッパー１００の頂部を越えて締まり、フラップ３４２、３６２の遠位端部３４６、３６６を互いに引っ張り、足の周囲の内部空所１０２を締め付ける。
【００４６】
第１のケーブル３０４と同様に、第２のケーブル３０６は、ケーブルロック３０２の第１の側部から履物１０の内側側部２２に延びる第１のセクション３７４と、ケーブルロック３０２の第２の側部から履物１０の外側側部２４に延びる第２のセクション３７６とを含むものとして説明され得る。図示された例では、第１のセクション３７４と第２のセクション３７６が協働して、アッパー１００の周囲、より詳細には、アッパー１００の舌部１０６を越えて延びる連続ループを画定する。実質的に連続しているが、第１のセクション３７４は、第１の端部３７８に延びるものとして説明され得、第２のセクション３７６は、第２の端部３８０に延びるものとして説明され得る。ここで、第１の端部３７８及び第２の端部３８０は、互いに一致して、連続する第２のケーブル３０６を形成する。しかし、他の例では、第１の端部３７８及び第２の端部３８０は、互いに分離されることができる、及び／又は中間部材によって互いに接続され得る。
【００４７】
図３Ａに最も良く示されているように、第２のケーブル３０６は、足首開口部１０４に近接して（すなわち、着用者の足の甲の上の領域に近接して）舌部１０６の周囲に延びている。図１に示すように、第２のケーブル３０６の第１のセクション３７４の一部は、アッパー１００の内側側部２２を通って形成された第１の通路３８２を通ってルーティングされ得る。同様に、第２のケーブルの第２のセクション３７６の一部は、アッパー１００の外側側部２４を通って形成された第２の通路３８４を通ってルーティングされ得る。
【００４８】
舌部１０６の周囲に延びる第２のケーブル３０６の一部は、１つ又は複数のシース３８６内に囲まれ得る。各シース３８６は、さらに、第２のケーブル３０６が締め付け力ＦＴによってアッパー１００から離れる方向に動かされるとき（すなわち、第２のケーブル３０６が締め付け方向ＤＴに動かされるとき）、シース３８６及び第２のケーブル３０６の各セクション３７４、３７６が緩んだ状態から伸張又は拡張状態に動くことを可能にする材料及び／又は織物から形成され得る。締め付け力ＦＴが除去されると、シース３８６の材料及び／又は織物は、シース３８６を自動的に緩んだ状態に収縮させ、第２のケーブル３０６によるバンチング（bunching）を収容させる（accommodate）。
【００４９】
図示の例では、別個の締め付けグリップ３８８が、舌部１０６に近接した取り付け位置でシース３８６に操作可能に接続し、ユーザが締め付け力ＦＴを加えて、第２のケーブル３０６をアッパー１００から離すように引き、それによって、第２のケーブル３０６及び第１のケーブル３０４の各々を締め付け方向ＤＴに移動させることを可能にする。他の構成は、１つ又は複数の締め付けグリップ３８８を、第２のケーブル３０６の長さに沿ってシース３８６の他の部分に操作可能に接続することを含み得る。いくつかの実装形態では、締め付けグリップ３８８は省略され、シース３８６はユーザによって直接把持される。
【００５０】
再び図１を参照すると、ケーブルロック３０２は、ケーブル３０４、３０６が両方向にＤＴ、ＤＦに移動することを可能にするためにケーブルロック３０２をロック状態からロック解除状態に移行させるように動作可能な解放機構３９０をさらに含み得る。例えば、解放機構３９０は、解放コード３９０が引かれるときにケーブルロック３０２をロック状態からロック解除状態に移行するように動作可能な解放コード又はケーブル３９０を含み得る。解放コード３９０は、ケーブルロック３０２に取り付けられた第１の端部から、アッパー１００から露出された遠位端部に、アッパー１００によって形成された通路３８２、３８４のうちの１つを通って延び得、それによって、ユーザが、ロック状態からロック解除状態へロック装置３５０ｂを移動させるために、解放コード３９０を把持し、引っ張ることを可能にする。いくつかの例では、解放コード３９０の遠位端部は、ケーブルロック３０２をロック解除状態に移動させること及び／又はケーブルロック３０２をロック解除状態から解除することが望ましいときに、ユーザが解放コード３９０を把持及び引っ張ることを可能にするために、ケーブルロック３０２から離れて配置されたループ３９２及び／又は把持機能を含む。図１は、アッパー１００の内側側部２２の第１の通路３８２から延びる解放コード３９０のループ３９２を示す。
【００５１】
上述のように、ロック装置又はケーブルロック３０２は、履物１０のソール構造２００内に配置され得、ロック状態に付勢され（biased）て、ケーブル３０４、３０６のそれぞれの緩み方向ＤＬへの移動を制限し得る。ソール構造２００は、いくつかの例ではケーブルロック３０２を支持する。第１のケーブル３０４及び第２のケーブル３０６は、それぞれ、逆方向からケーブルロック３０２のハウジング４００に近づき、通過する。一構成では、ハウジング４００は、長さ約３インチ（３ｉｎ．（７．６２ｃｍ））、幅約３インチ（３ｉｎ．（７．６２ｃｍ））の実質的に正方形の形状を含み、約１インチ（１ｉｎ．（２．５４ｃｍ））の厚さを含む。幾つかの構成では、ケーブルロック３０２は、ロック状態の間に、ケーブル３０４、３０６の締め付け方向ＤＴの移動を可能にする。解放コード３９０は、ケーブルロック３０２をロック状態からロック解除状態に移行させ、それによってケーブル３０４、３０６が両方向ＤＴ、ＤＦに移動することを可能にする。
【００５２】
図５は、スプール４０４、第１の爪４０６、及び第２の爪４０８を回転可能に受け入れるように構成されたキャビティ４０２を画定するハウジング４００を示すケーブルロック３０２の分解図である。ケーブルロック３０２は、ハウジング４００に取り外し可能に固定された蓋４１０を含み得、蓋４１０がハウジング４００に留められる（fastened）ときにキャビティ４０２へのアクセスを防止し、蓋４１０がハウジング４００から取り外されたときにキャビティ４０２へのアクセスを可能にする。１つ又は複数の留め具４１２が、蓋４１０を通って延び、ハウジング４００内のねじ穴４１４に締り、蓋４１０をハウジング４００に固定し得る。
【００５３】
ハウジング４００は、各々が、それを通ってケーブル３０４、３０６がハウジング４００のキャビティ４０２内にルーティングされるそれぞれのケーブルリテーナ４１８を受け入れて支持するようにそれぞれ構成される複数のリテーナスロット４１６を画定する。ハウジング４００は、ケーブル３０４、３０６の端部がケーブルリテーナ４１８のそれぞれの１つを通って延びるように、複数のケーブルリテーナ４１８を支持し得る。
【００５４】
以下により詳細に説明するように、ハウジング４００は、さらに、キャビティ４０２内に配置された保持壁４２０を含み得る。保持壁４２０は、第１の爪４０６と協働するように構成される。保持壁４２０は、さらに、１つ又は複数の触覚ドーム（tactile  domes）４２４を受け入れるように構成された触覚スロット（tactile  slot）４２２をさらに含み得る。図６〜図９を参照して以下により詳細に説明すると、第１の爪４０６は触覚ドーム（複数可）４２４と係合して、スプール４０４がハウジング４００に対して位置を変化させたこと及び／又はケーブルロック３０２がロック状態からロック解除状態に移行したことを示すクリック音又は他の音を提供し得る。
【００５５】
図７は、ハウジング４００の両側に配置された一対の取り付けフランジ４２６、４２８を示す、ハウジング４００の上面図である。取り付けフランジ４２６、４２８は、ケーブルロック３０２をソール構造２００内に取り付けるために、ソール構造２００のキャビティ２１２の内面に載置され得る。代替的には、フランジは、アッパー１００のストロベル（strobel）に取り付けることができる。ストロベルは、ソール構造２００と空所１０２との間に少なくとも配置された履物１０の足下部分を形成する任意の支持構造であることができる。いくつかの例では、接着剤及び／又はエポキシなどの接着剤が、キャビティ２１２内にハウジング４００を取り付けるために、フランジ４２６、４２８の接触面及び／又はソール構造２００のキャビティ２１２の内面に塗布され得る。付加的又は代替的に、取り付けフランジ４２６、４２８は、それを通って形成され、ハウジング４００をソール構造２００に取り付けるための留め具（図示せず）を受け入れるように構成された１つ又は複数の取り付け孔４３０を画定し得る。
【００５６】
図７は、ハウジング４００を示し、爪４０６、４０８、ケーブル３０４、３０６、及びケーブルロック３０２の他の構成要素を除去して、ハウジング４００を通って形成された細長いチャネル４３２を露出させる。以下により詳細に説明するように、細長いチャネル４３２は、第１の爪４０６の取り付けポイントと整列し、解放コード３９０が、ハウジング４００の下を通過し、取り付けフランジ４２８によって画定されるフィードスロット（feed  slot）４３４を通って上に通過することを可能にする。また、取り付けフランジ４２８は、解放コード３９０（及び／又は解放コード３９０を囲む導管３７２）がハウジング４００から延びるためのより多くのクリアランスを提供するために、フィードスロット４３４に近接した切欠き領域４３５を画定する。取り付けフランジ４２６、４２８は、ハウジング４００がキャビティ２１２又はストロベルの取り付け面から離間されるように、ハウジング４００の周囲の周りにリップを画定し得、解放コード３９０がハウジング４００とキャビティ２１２又はストロベルの取り付け面との間をルーティングされることを可能にする。したがって、解放コード３９０は、細長いチャネル４３２とフィードスロット４３４との間でハウジング４００の下に自由に延び得る。いくつかの例では、フィードスロット４３４は、解放コード３９０がハウジング４００によって捕捉されること又は拘束されることを防止するために湾曲したエッジを有する。
【００５７】
次に、図６を参照すると、スプール４０４は、ハウジング４００のキャビティ４０２内に支持され、ハウジング４００に対して回転し得る。いくつかの例では、スプール４０４は、ケーブル３０４、３０６が締め付け方向ＤＴに移動するときは第１の方向ＤＳ１に、ケーブル３０４、３０６が緩み方向ＤＬに移動するときは反対の第２の方向ＤＳ２に、ハウジング４００に対して回転する。スプール４０４は、第１のケーブル３０４の部分を集めるように構成される第１のチャネル又は環状溝４３６と、第２のケーブル３０６の部分を集めるように構成される第２のチャネル又は環状溝４３８とを含む。スプール４０４は、スプール４０４に対するケーブル３０４、３０６の各々の回転位置を固定するために、チャネル４３６、４３８を隔てる分割壁を通して形成される１つ又は複数のアンカースロット４４０を含み得る。
【００５８】
ケーブルロック３０２はまた、スプール４０４に関連付けられ、ラチェット機構４４２の軸の周囲に円周方向に配置され、そこから半径方向内方に突出する複数の歯４４４を有するラチェット機構４４２を含む。いくつかの実装形態では、ラチェット機構４４２は、複数の歯４４４がチャネル４３６、４３８から半径方向内方に突出するように、スプール４０４の内周壁上に一体的に形成される。他の例では、ラチェット機構４４２は、スプール４０４との共通回転のために支持される。
【００５９】
第１の爪４０６は、ハウジング４００のキャビティ４０２内に配置され、ラチェット機構４４２と協働して、スプール４０４の回転、ひいてはケーブル３０４、３０６の移動を選択的に防ぐ及び可能にするように構成される。いくつかの例では、第１の爪４０６は、ラチェット機構４４２の複数の歯４４４と選択的かつ噛合い係合するように構成される１つ又は複数の歯４４５を含む。いくつかの実装形態では、第１の爪４０６は、第１の爪４０６がハウジング４００に対して第１の爪回転軸ＡＦＰ周りに回転することを可能にするように、ハウジング４００内の第１の爪４０６を支持するように構成される第１の爪アクスル４４８を含む。
【００６０】
第１の爪スプリング４５０が、ハウジング４００のキャビティ４０２内に配置された第１の爪アクスル４４８と保持壁４２０とを動作可能に接続して、第１の爪４０６を爪回転軸ＡＦＰのまわりの第１の方向ＤＦＰ１に付勢し得る。第１の爪回転軸ＡＦＰは、スプール４０４が第１の爪４０６及びハウジング４００の保持壁４２０を囲むようにキャビティ４０２に受け入れられるとき、スプール４０４の回転軸に実質的に平行であり得る。従って、第１の爪スプリング４５０は、保持壁４２０及び第１の爪４０６と相互作用して、第１の爪４０６を第１の方向ＤＦＰ１において爪回転軸ＡＦＰの周りに旋回させ、ラチェット機構４４２の複数の歯４４４と係合させる付勢力をかけ、それによってケーブルロック３０２をロック状態で動作させ、ケーブル３０４、３０６による緩み方向ＤＬの移動を制限する。
【００６１】
図８及び９は、それぞれ、ケーブルロック３０２の第１の爪４０６の上面図を示す。第１の爪４０６は、第１の爪スプリング４５０を支持するように構成された第１の受容面４５２を画定する。第１の爪アクスル４４８は、第１の受容面４５２に実質的に垂直な方向に第１の受容面４５２から突出する。第１の爪アクスル４４８は、第１の爪４０６と一体的に形成され得る。また、第１の爪４０６は、第２の爪スプリング４６４を支持するように構成される第２の受容面４５４を画定する。開口部４５６が、第２の受容面４５４を通って形成され、第２の爪アクスル４６２を受容するように構成される。アンカーポスト４５８が、第１の爪アクスル４４８に実質的に平行な方向に、受容面４５２、４５４から離れて突出し得る。アンカーポスト４５８は、解放コード３９０の第１の端部３５４ｄをアンカーポスト４５８に取り付けるための取り付け位置を提供するための開口部４６０を画定し得る。アンカーポスト４５８は、第１の爪４０６と一体的に形成され得る。
【００６２】
図６を参照すると、第２の爪アクスル４６２は、第２の爪４０８を第１の爪４０６に回転可能に取り付け、第２の爪４０８が第１の爪４０６及びハウジング４００の両方に対して第２の爪回転軸ＡＳＰ周りに回転することを可能にする。第２の爪回転軸ＡＳＰは、第１の足部回転軸ＡＦＰ及びスプール４０４の回転軸に実質的に平行に延び得る。いくつかの例では、第２の爪４０８は、第２の爪スプリング４６４に関連付けられ、第１の爪４０６がラチェット機構４４２の歯４４４から解放され、スプール４０４が第２の方向ＤＳ２に回転することを可能にするときに、第２の爪４０８を付勢してスプール４０４の内周に関連付けられた制御面４６６に係合させるように構成される。
【００６３】
図６は、第１の爪４０６の第１の爪歯４４５がラチェット機構４４２の歯４４４に係合するロック状態にあり、スプール４０４が第２の方向ＤＳ２に回転するのを選択的に制限し、それによってケーブル３０４、３０６がそれぞれの緩み方向ＤＬに移動するのを制限する間のケーブルロック３０２の斜視図を提供する。いくつかの例では、複数の歯４４４は、第１の爪４０６の歯４４５がラチェット機構４４２の歯４４４と係合するときスプール４０４が第１の方向ＤＳ１に回転することを可能にするように傾斜し、これにより、締め付けグリップ３８８に加えられた締め付け力ＦＴに応答して、第１のケーブル３０４が締め付け方向ＤＴに移動し、第２のケーブル３０６が締め付け方向ＤＴに移動することを可能にする。
【００６４】
スプール４０４が第１の方向ＤＳ１に回転するとき、第２のケーブル３０６はスプール４０４の第２のチャネル４３８から巻き戻され（unreeled）、一方、スプール４０４の第１のチャネル４３６が第１の方向ＤＳ１に回転するので、スプール４０４の第１のチャネル４３６が第１のケーブル３０４を同時に引き込む。従って、ケーブル３０４、３０６によるそれぞれの締め付け方向ＤＴへの移動は、第２のケーブル３０６の有効長さを増加させ、同時に、第１のケーブル３０４の有効長さを減少させ、それによって、ユーザの足の周りの内部空所１０２を閉じるためにアッパー１００を締め付け状態に移動させる。ここで、第２のケーブル３０６は、アッパー１００が締め付け状態に入るにつれて足のまわりの内部空所１０２のフィットを締め付けるために、第１の爪４０６（例えば、第１の爪歯４４５）とラチェット機構４４２の歯４４４との間の各連続係合中に締め付け方向ＤＴに漸増的に移動し、それにより、第１のケーブル３０４の第１のセクション３０８及び第２のセクション３１０に加えられる張力を漸増的に増加させる。より詳細には、第１のケーブル３０４の第１のセクション３０８及び第２のセクション３１０の各々は、スプール４０４の第１のチャネル４３６に接続され、その中に配置されるので、セクション３０８、３１０の各々は、同じ速度でスプール４０４によって巻き付けられ、巻き戻され、足の周りのアッパー１００の実質的に均一なきつさ（tightness）を提供する。
【００６５】
いくつかの例では、解放コード３９０は、ＦＲの所定の解放力が解放コード３９０に加えられるとき、ラチェット機構４４２の歯４４４から第１の爪４０６を選択的に係合解除するために、第１の爪４０６のアンカーポスト４５８に動作可能に接続される。第２の爪４０８が制御面４６６に係合するとき、第２の爪４０８は、第２の方向ＤＳ２における回転中にスプール４０４の第１のチャネル４３６及び第２のチャネル４３８のそれぞれから集められた（例えば、巻き付けられる）又は解放された（例えば、巻き戻される）ときケーブル３０４、３０６が絡まらないように、スプール４０４の第２の方向ＤＳ２における回転速度を制御するように動作する。いくつかの構成では、第２の爪４０８は、第１の爪４０６が歯４４４から係合解除されたままであるとき（すなわち、ケーブルロック３０２がロック解除状態で動作可能であるとき）、２つの制御面４６６のそれぞれと係合したままである２つのカム面を含む。各制御面４６６は、歯４４４が制御面４６６の間に配置され、そこから半径方向内方に突出するように、ラチェット機構４４２の反対側に軸方向に配置され得る。
【００６６】
図８を参照すると、ケーブルロック３０２がロック状態にあるとき、第１の爪４０６は、付勢されてラチェット機構４４２の複数の歯４４４と係合する。ここで、第１の爪４０６は、第１の爪４０６の歯４４５がラチェット機構４４２の歯４４４と係合するように、第１の方向の回転ＤＦＰ１に第１の爪回転軸ＡＦＰ周りに旋回し、回転する。いくつかの例では、第１の爪４０６は、第１の爪４０６と歯４４４との間の各連続係合中にスプール４０４内の位置の漸進的変化を示す「クリック」を提供するために、触覚ドーム４２４と係合するように構成される触覚突出部４６８を含む。
【００６７】
図９を参照すると、解放コード３９０の端部３９４が、第１の爪４０６のアンカーポスト４５８に取り付けられ、所定の解放力ＦＲが解放コード３９０に加えられたときに、解放コード３９０が、ラチェット機構４４２の歯４４４から第１の爪４０６を選択的に係合解除することを可能にする。例えば、ユーザは、解放コード３９０のループ３９２を把持し、ラチェット機構４４２の歯４４４から第１の爪４０６を係合解除するために所定の力ＦＲを加え得る。ここで、所定の力ＦＲは、第１の爪スプリング４５０の付勢力を克服し、第１の爪４０６が第２の方向ＤＦＰ２に第１の爪回転軸ＡＦＰ周りに回転することを可能にする。さらに、触覚突出部４６８は、所定の力ＦＲが第１の爪４０６を歯４４４との係合から外れて動かし、ケーブルロック３０２をロック解除状態に移行させるときに、触覚ドーム４２４と係合して「クリック」を提供し得る。
【００６８】
図９は、所定の力ＦＲが解放コード３９０に加えられたときに、ラチェット機構４４２の歯４４４から第１の爪４０６を選択的に解放する解放コード３９０に応答した、ロック解除状態のケーブルロック３０２を示す。ケーブルロック３０２は、ラチェット機構４４２の歯４４４から第１の爪４０６が係合解除したロック解除状態にある一方、第１のケーブル３０４に緩み力ＦＬが加えられるときに第１のケーブル３０４が緩み方向ＤＬに移動することを可能にするように、スプール４０４が第２の方向ＤＳ２に回転することを可能にされる。いくつかの例では、スプール４０４の第１のチャネル４３６が第１のケーブル３０４を収集し、一方、スプール４０４の第２のチャネル４３８は、同時に、スプール４０４が第２の方向ＤＳ２に回転するので、第２のケーブル３０６を解放する。したがって、第２のケーブル３０６の緩み方向ＤＬへの移動は、第１のケーブル３０４の有効長さが増大することを可能にし、セグメント３１６ａ〜３１６ｅ、３１８ａ〜３１８ｆが緩み、それにより、足が内部空所１０２から外されることができるように、締め付け状態から緩み状態へのアッパー１００の移行を容易にすることを可能にする。
【００６９】
図５に戻って参照すると、ケーブルロック３０２の蓋４１０及びハウジング４００はそれぞれ、第１の爪４０６の第１の爪アクスル４４８を支持するように構成されるハブ４７０を含み得る。また、蓋４１０はそれぞれ、ハウジング４００の細長いチャネル４３２と協働して、第１の爪４０６が第１の爪回転軸ＡＦＰ周りに第１の方向ＤＦＰ１又は第２の方向ＤＦＰ２のいずれかで旋回するときに、第１の爪４０６のアンカーポスト４５８がハウジング４００及び蓋４１０に対して自由に回転することを可能にする細長いチャネル４７２を含み得る。
【００７０】
使用時には、履物製品１０は、テンションシステム３００を使用して、締め付け状態と緩んだ状態との間で選択的に移動することができる。履物１０が最初に緩んだ状態で提供されると、第１のケーブル３０４の有効長さは最大化されるので、第１のケーブルがアッパー１００の周りで緩んだ状態にある一方、第２のケーブル３０６の有効長さは、ケーブルロック３０２のスプール４０４の周りに第２のケーブル３０６が巻かれるので、最小化される。従って、ユーザの足を履物１０の内部空所１０２に挿入することができ、それによって、アッパー１００の材料は、アッパー１００がそこに足を収容するように伸張することを可能にする。
【００７１】
ユーザの足がアッパー１００の内部空所１０２内に挿入されると、テンションシステム３００は、履物１０を足部に固定するために、ユーザによって締め付けられた状態に移動することができる。上述のように、テンションシステム３００は、締め付けグリップ３８８に締め付け力ＦＴを加えることによって締め付けられた状態に移動し、それによって第２のケーブル３０６を締め付け方向ＤＴに移動させる。第２のケーブル３０６が締め付け方向ＤＴに移動すると、スプール４０４は第１の方向ＤＳ１に回転し、第２のケーブル３０６は第２のチャネル４３８から巻き戻される。同時に、第１のケーブル３０４は、第１のチャネル４３６内に巻き上げられ、それによって、第１のケーブル３０４は、ケーブルロック３０２内に引き込まれる。従って、第１のケーブル３０４の有効長さは、アッパー１００の周囲で最小化され、アッパー１００を足の周囲で締め付けられた状態に移動させる。
【００７２】
上述のように、第１のケーブル３０４が締め付け方向ＤＴに動かされると、第１のセクション３０８のセグメント３１６ａ〜３１６ｅは、締め付け力ＦＴを第１のストラップ３２０及び第２のストラップ３３４の端部３２２、３３８に分配し、第１のストラップ３２０及び第２のストラップ３３４を舌部１０６の上にしっかりと引っ張る。同時に、第２のセクション３１０のセグメント３１８ａ〜３１８ｅは、締め付け力ＦＴを第１のストラップ３２０の第２の端部３２４、内側及び外側のフラップ３４２、３６２のケーブルガイド３５８、３６８、及び内側フラップ３４２のアンカーポイント３６０に分配し、舌部１０６の下部領域を収縮させる。同時に、テンションシステム３００が締め付け状態に移動されるとき、第２のケーブル３０６の有効長さは増大され得る。しかし、第２のケーブル３０６は、シース３８６の弾性によってアッパー１００に対して締め付けられた位置に維持され得る。
【００７３】
テンションシステム３００を締め付け状態に移動させる前、その間、又はその後に、解放コード３９０に加えられる解放力ＦＲが第１の爪スプリング４５０によって克服されたとき、第１の爪スプリング４５０の付勢力は、ロック位置に第１の爪４０６を移動させ得る。ケーブルロック３０２がロック状態にあるとき、スプール４０４の歯４４４は、スプール４０４が第２の方向ＤＳ２（すなわち、緩み方向ＤＬ）に回転するのを防止するために、第１の爪４０６の歯４４５に係合される。従って、ケーブルロック３０２がロック位置に留まる限り、ケーブルロック３０２はテンションシステム３００を締め付け状態に維持する。
【００７４】
ユーザが履物製品１０を足から外すことを望む場合、テンションシステム３００を緩んだ状態に移動されて、アッパー１００が足の周りで緩められることを可能にし得る。最初に、ケーブルロック３０２は、第１の爪スプリング４５０の付勢力を克服するのに十分な解放力ＦＲを加えることによって、ロック解除状態に移動されなければならない。解放力ＦＲが付勢力を克服すると、第１の爪４０６の歯４４５はスプール４０４の歯４４４から係合解除し、それによってスプール４０４が第２の方向ＤＳ２に回転することを可能にする。
【００７５】
緩み力ＦＬが、第１のケーブルを緩み方向ＤＬに移動させるためにユーザは第１のケーブル３０４に加えられ得、これにより、第１のケーブル３０４の有効長さを最大にし、アッパー１００が緩められることを可能にする。図示の例では、緩み力ＦＬは、アッパー１００の前端部１８を下方に引くことによって第１のケーブル３０４に間接的に加えられ得、それによって内部空所１０２が足を外すために強制的に開放される。代替的に、第１のケーブル３０４は、ユーザが緩み力ＦＴを第１のケーブル３０４に直接加えることを可能にするように、１つ又は複数の緩みグリップ（図示せず）を備え得る。
【００７６】
第１のケーブル３０４が緩み方向ＤＬに移動すると、スプール４０４が第２の方向ＤＳ２に回転し、それによって第１のケーブル３０４は第１のチャネル４３６から巻き戻される。第１のケーブル３０４が巻き戻されると、第１のケーブル３０４の有効長さは増大し、第１及び第２のセクション３０８、３１０のセグメント３１６ａ〜３１６ｅ、３１８ａ〜３１８ｆが緩められ、第１のストラップ３２０、第２のストラップ３３４、内側フラップ３４２、及び外側フラップ３６２がアッパー１００の周りで緩むことを可能にする。同時に、第２のケーブル３０６は、第２のチャネル４３８内に巻き上げられ、それによって、第２のケーブル３０６を、ケーブルロック３０２内に引き込ませる。従って、第２のケーブル３０６の有効長さは最小化される。
【００７７】
以下の条項は、本開示の原理による履物製品及びケーブルロックのための例示的な構成を提供する。
【００７８】
条項１：内部空所を画定するアッパーと；ソール構造であって、前記アッパーに取り付けられ、前記内部空所に対向する上面及び前記上面とは前記ソール構造の反対側に形成された地面係合底面を有する、ソール構造と；前記底面に隣接して前記ソール構造内に配置されたケーブルロックと；前記ケーブルロックから前記アッパーの第１のアンカーポイントに延びる第１のセクション及び前記ケーブルロックから前記アッパーの第２のアンカーポイントに延びる第２のセクションを有する第１のケーブルと；前記ケーブルロックからグリップに延びる第１のセクション及び前記ケーブルロックから前記グリップに延びる第２のセクションを有する第２のケーブルと；を有し、前記ケーブルロックは、前記第２のケーブルの前記第１のセクション及び前記第２のセクションが延ばされるとき、前記第１のケーブルの前記第１のセクション及び前記第２のセクションを引き込むように動作可能である、履物製品。
【００７９】
条項２：条項１の履物製品であって、前記ケーブルロックは、前記ソール構造の前記底面に配置されたビューイングポートを通して見るために露出される。
【００８０】
条項３：条項２の履物製品であって、前記ビューイングポートは、前記ソール構造のアウトソール部分及びミッドソール部分のうちの少なくとも１つを少なくとも部分的に通って延びる開口部を有する。
【００８１】
条項４：条項３の履物製品であって、前記ビューイングポートは、前記開口部を横切って延びる透明バリアを有するウインドウを含む。
【００８２】
条項５：前条項のいずれかの履物製品であって、前記アッパーの内側側部の第１の端部から前記アッパーの外側側部の第２の端部に延びる第１のストラップをさらに有し、前記第１のストラップの前記第１の端部は、前記第１のケーブルの前記第１のセクションを受け、前記第１のストラップの前記第２の端部は、前記第１のケーブルの前記第２のセクションを受ける。
【００８３】
条項６：条項５の履物製品であって、前記外側側部の前記履物のバイトラインにおける第１の端部から前記アッパーの前記内側側部の第２の端部に延びる第２のストラップをさらに有し、前記第２の端部は、ループを画定し、前記第１のケーブルの前記第１のセクションを受ける。
【００８４】
条項７：前条項のいずれかの履物製品であって、前記ケーブルロックはスプールを含み、前記第１のケーブルは前記スプールの周りに第１の方向に巻かれ、前記第２のケーブルは前記スプールの周りに第２の方向に巻かれ、前記第２の方向は前記第１の方向と反対である。
【００８５】
条項８：前条項のいずれかの履物製品であって、前記第１のケーブルの前記第１のセクションは、前記アッパーの内側側部に沿って前記アッパーの前記内側側部の前記第１のアンカーポイントに延びる第１の複数のセグメントを含み、前記第１のケーブルの前記第２のセクションは、前記アッパーの外側側部と前記アッパーの前記内側側部との間で前記アッパーの前記内側側部の前記第２のアンカーポイントに延びる第２の複数のセグメントを含む。
【００８６】
条項９：前条項のいずれかの履物製品であって、前記第１のアンカーポイントは、前記アッパー及び前記ソール構造のバイトラインに隣接する中足部領域の前記アッパーの内側側部に配置され、前記第２のアンカーポイントは、前足部領域の前記アッパーの前記内側側部に配置されるフラップの遠位端部に配置される。
【００８７】
条項１０：条項９の履物製品であって、前記フラップは、前記バイトラインに取り付けられた近位端部から前記アッパーの甲領域に隣接する前記遠位端部に延びる。
【００８８】
条項１１：条項９又は条項１０の履物製品であって、前記フラップは、前記第１のケーブルの前記第２のセクションを受けるためのループをさらに含み、前記ループは、前記第２のセクションの第１のセグメント及び第２のセグメントを受け、前記第２のアンカーポイントは、前記第２のセクションの第３のセグメントを受ける。
【００８９】
条項１２：前条項のいずれかの履物製品であって、前記ケーブルロックの内部構成要素が前記ソール構造の前記底面を通して可視である。
【００９０】
条項１３：履物製品は：内部空所を画定するアッパーと；ソール構造であって、前記アッパーに取り付けられ、前記内部空所に面する上面及び前記上面とは前記ソール構造の反対側に形成された地面係合底面を有する、ソール構造と；前記ソール構造内に配置されたケーブルロックと；前記ケーブルロックから第１の方向に延びる第１のセクション及び前記ケーブルロックから第２の方向に延びる第２のセクションを有する第１のケーブルであって、前記第１のセクションは、少なくとも１つのストラップを通って前記アッパーの内側側部に沿ってルーティングされる第１の複数のセグメントを含み、前記第２のセクションは、前記少なくとも１つのストラップを通って前記アッパーの外側側部に沿ってルーティングされる第２の複数のセグメントを含む、第１のケーブルと；第２のケーブルであって、前記ケーブルロックから延び、前記第２のケーブルに加えられる引張り力が、前記第２のケーブルを前記ケーブルロックから繰り出させるときに、前記第１のケーブルを引き込まれた状態に向かって移動させるように動作可能である、第２のケーブルと；を有する。
【００９１】
条項１４：条項１３の履物製品であって、前記ケーブルロックは、前記ソール構造の前記底面を通して見えるように露出される。
【００９２】
条項１５：条項１４の履物製品であって、前記ケーブルロックは、前記ソール構造の前記底面を通して、前記ソール構造のアウトソール部分及び中間ソール部分のうちの少なくとも１つを少なくとも部分的に通って延びる開口部において、見えるように露出される。
【００９３】
条項１６：条項１５の履物製品であって、前記開口部を横切って延びる透明バリアを含むウインドウをさらに有する。
【００９４】
条項１７：前条項のいずれかの履物製品であって、前記少なくとも１つのストラップは、前記アッパーの内側側部に配置された第１の端部から、前記アッパーの外側側部に配置された第２の端部に延びる第１のストラップを含み、前記第１のストラップの前記第１の端部は、前記第１のケーブルの前記第１のセクションを受け、前記第１のストラップの前記第２の端部は、前記第１のケーブルの前記第２のセクションを受ける。
【００９５】
条項１８：条項１７の履物製品であって、前記少なくとも１つのストラップは、前記外側側部で前記履物の前記外側側部に取り付けられた第１の端部から、前記アッパーの前記内側側部の第２の端部に延びる第２のストラップを含み、前記第２の端部は、ループを画定し、前記第１のケーブルの前記第１のセクションを受ける。
【００９６】
条項１９：前条項のいずれかの履物製品であって、前記ケーブルロックはスプールを含み、前記第１のケーブルは前記スプールの周りに第１の方向に巻かれ、前記第２のケーブルは前記スプールの周りに第２の方向に巻かれ、前記第２の方向は前記第１の方向とは反対である。
【００９７】
条項２０条：前条項のいずれかの履物製品であって、前記第１のケーブルの前記第１のセクションは、前記アッパーの前記内側側部の第１のアンカーポイントに延び、前記第１のケーブルの前記第２のセクションは、前記アッパーの前記内側側部の第２のアンカーポイントに延びる。
【００９８】
条項２１：条項２０の履物製品であって、前記第１のアンカーポイントは、前記アッパー及び前記ソール構造のバイトラインに隣接する中足部領域の前記アッパーの内側側部に配置され、前記第２のアンカーポイントは、前足部領域の前記アッパーの前記内側側部に配置されたフラップの遠位端部に配置される。
【００９９】
条項２２：条項２１の履物製品であって、前記フラップは、前記バイトラインにおいて取り付けられた近位端部から前記アッパーの甲領域に隣接する前記遠位端部に延びる。
【０１００】
条項２３：条項２１又は条項２２の履物製品であって、前記フラップは、前記第１のケーブルの前記第２のセクションを受けるためのループを含み、前記ループは、前記第２のセクションの第１のセグメント及び第２のセグメントを受け、前記第２のアンカーポイントは、前記第２のセクションの第３のセグメントを受ける。
【０１０１】
条項２４：前条項のいずれかの履物製品であって、前記ケーブルロックの内部構成要素は、前記ソール構造の前記底面を通して可視である。
【０１０２】
前述の説明は、図示及び説明の目的で提供された。これは、網羅的であること、又は本開示を限定することを意図したものではない。特定の構成の個々の要素又は特徴は、概して、その特定の構成に限定されないが、適用可能な場合には、互換性があり、具体的に図示又は説明されていなくても、選択された構成で使用することができる。同じことは、いろいろな方法で変えられ得る。このような変更は、本開示からの逸脱とはみなされず、すべてのこのような変更は、本開示の範囲内に含まれることが意図される。
【図１】
2022500181.tif 000003
【図２】
2022500181.tif 000004
【図３Ａ】
2022500181.tif 000005
【図３Ｂ】
2022500181.tif 000006
【図４】
2022500181.tif 000007
【図５】
2022500181.tif 000008
【図６】
2022500181.tif 000009
【図７】
2022500181.tif 000010
【図８】
2022500181.tif 000011
【図９】
2022500181.tif 000012
【国際調査報告】
2022500181.tif 000013
2022500181.tif 000014
2022500181.tif 000015
2022500181.tif 000016